(57)【特許請求の範囲】
【請求項１】
各々円筒状に形成されている複数の円筒部材とレンズ群を保持する複数のレンズ枠とが設けられ、
前記複数の円筒部材は、少なくとも、
カメラ本体に固定され、内周面に第１のヘリコイドネジが形成された固定筒と、
前記固定筒の内側に設けられ、外周面に前記第１のヘリコイドネジと螺合する第２のヘ
リコイドネジが形成され、回転可能である回転筒と、
前記回転筒の内側に設けられ、内周面に第３のヘリコイドネジが形成され、前記回転筒の前後方向の移動にともなって直進する直進筒と、
前記直進筒の内側に設けられ、外周面には前記第３のヘリコイドネジと螺合する第４のヘリコイドネジが形成され、内周面には前記レンズ枠が係合するカム溝が形成され、前記回転筒の回転にともなって同一方向に回転するカム筒とからなり、
前記複数のレンズ枠は前記カム筒が回転すると前記カム筒に対して前後に移動するようになっているカメラにおいて、
カメラ内に撮影レンズが収納された状態である前記カメラ本体の初期状態では、前記第３のヘリコイドネジと第４のヘリコイドネジは螺合しないようになっており、
前記初期状態から前記レンズ群を繰り出すべく前記回転筒が回転することによって前記カム筒が所定角度回転すると、前記第３のヘリコイドネジと前記第４のヘリコイドネジは螺合することを特徴とするカメラ。
【請求項２】
前記第３のヘリコイドネジは前記直進筒の内周面の前端部近傍から途中まで形成され、前記第４のヘリコイドネジは前記カム筒の外周面の一部に形成され、
前記直進筒には前記カム筒の回転方向をガイドするガイド孔が設けられ、
前記カム筒には、前記ガイド孔に係合する係合部材が設けられ、
前記ガイド孔は、前記直進筒後部において前記第３のヘリコイドネジが形成されていない部分に周方向に沿うように形成された第１孔部と、前記第１孔部に連続し前記直進筒の前記前端部近傍まで前記第３のヘリコイドネジに沿うように形成されている第２孔部とからなり、
前記係合部材は、前記第４のヘリコイドネジに対して前後方向においてほぼ同じ位置に設けられており、前記カム筒が前記初期状態から前記所定角度回転する間は前記第１孔部に係合し、その後は前記第２孔部に係合するように構成されていることを特徴とする請求項１に記載のカメラ。
【請求項３】
前記第３のヘリコイドネジのうち前記第２孔部に隣接する部分は、少なくとも前記第１孔部近傍まで延長されていることを特徴とする請求項２に記載のカメラ。
【発明の詳細な説明】
【０００１】
【発明の属する技術分野】
この発明は、複数の円筒部材とレンズ群を保持するレンズ枠が設けられているカメラに関する。
【０００２】
【従来の技術】
従来のカメラでレンズを駆動する方法としては、ヘリコイドネジを利用するものと、カム溝を利用するものと２種類ある。
【０００３】
【発明が解決しようとする課題】
このうち、カム溝を設けるものは、レンズの移動量を自由に設定できる反面、カム溝に係合するコマ部に荷重が集中し、強度が不足するという問題が生じる可能性があった。
一方、ヘリコイドを使用するものは、充分な強度を有するものの、レンズの移動量が一定の割合でしか設定できず、カム溝タイプに比較すると自由度が低いという点が問題であった。
【０００４】
さらに、従来の技術では、カメラの撮影レンズが複数のレンズ群から構成されるズームレンズの場合、各レンズ群の移動量を高い自由度をもって設定するためには、カム溝が形成されたカム筒の長さを長くすることによって、対応していたが、カム筒が長ければその分撮影レンズが大きくなってしまうという点が問題であった。
【０００５】
この発明は、上記実状に鑑みてなされたもので、十分な強度を有し、レンズの移動量を高い自由度で設定することができ、さらに、コンパクトな撮影レンズを有するカメラを提供することを目的としている。
【０００６】
【課題を解決するための手段】
以下において、括弧により実施の形態に対応する構成を一例として示す。実施の形態と同一の用語を使用している場合には、符号のみ記す。
上記課題を解決するため、本発明の請求項１に記載の発明は、
各々円筒状に形成されている複数の円筒部材とレンズ群を保持する複数のレンズ枠（６０、７０、８０）とが設けられ、
前記複数の円筒部材は、少なくとも、
カメラ本体に固定され、内周面に第１のヘリコイドネジ（１１）が形成された固定筒（１０）と、
前記固定筒の内側に設けられ、外周面に前記第１のヘリコイドネジと螺合する第２のヘリコイドネジ（２１）が形成され、回転可能である回転筒（２０）と、
前記回転筒の内側に設けられ、内周面に第３のヘリコイドネジ（３２）が形成され、前記回転筒の前後方向の移動にともなって直進する直進筒（３０）と、
前記直進筒の内側に設けられ、外周面には前記第３のヘリコイドネジと螺合する第４のヘリコイドネジ（４２）が形成され、内周面には前記レンズ枠が係合するカム溝（４３）が形成され、前記回転筒の回転にともなって同一方向に回転するカム筒（４０）とからなり、
前記複数のレンズ枠は前記カム筒が回転すると前記カム筒に対して前後に移動するようになっているカメラ（１００）において、
前記カメラ本体の初期状態では、前記第３のヘリコイドネジと第４のヘリコイドネジは螺合しないようになっており、
前記初期状態から前記レンズ群を繰り出すべく前記回転筒が回転することによって前記カム筒が所定角度回転すると、前記第３のヘリコイドネジと前記第４のヘリコイドネジは螺合することを特徴とする。
【０００７】
請求項１に記載の発明によれば、回転筒が回転すると固定筒に対して第１、第２ヘリコイドネジにより前後に移動するとともに、カム筒が回転し回転筒とともに前後する直進筒に対して第３、第４ヘリコイドネジにより前後に移動し、さらに、カム筒にカム溝を介して係合するレンズ枠がカム筒に対して前後に移動するように構成されている。すなわち、２カ所のヘリコイド構造と１カ所のカム構造により３段鏡胴になっており、ヘリコイド構造とカム構造の双方を組み合わせているので、十分な強度を有しながらもレンズの移動量を高い自由度をもって設定できる。
【０００８】
しかも、初期状態から前記カム筒が所定角度回転するまでは、直進筒とカム筒との間のヘリコイドネジは螺合しないことから、この間、直進筒に対してカム筒は移動せず、実質的に２段階鏡胴として機能することから、レンズ群の移動量を小さく設定できる。特に、撮影レンズがズームレンズであって、レンズを最少倍率に設定するような場合、レンズの繰り出すべき量がわずかなためその分微妙に移動量を設定できることが望ましいが、請求項１のカメラによれば、レンズ繰り出しの始めの段階でカム筒の回転角度に比してレンズ群の移動量が小さいので、レンズの移動量を望ましい程度に設定できる。
また、請求項１に記載の発明によれば、レンズの移動量設定の自由度を高くするためカム筒等を長くする必要もなく、撮影レンズをコンパクトにできる。
【０００９】
ここで、初期状態とは、たとえばカメラ内に撮影レンズが収納された状態あるいは電源を投入した最初の状態である。
また、前記回転筒を回転させる手段は、特に限定されないが、たとえば、カメラに備えられるモータの回転を、駆動ギアを介して回転筒に伝達させればよい。また、円筒部材としてさらに他の部材を備えていてもよいし、レンズ群は１組でも２組以上設けられていてもよい。
【００１０】
請求項２に記載の発明は、請求項１に記載のカメラにおいて、
前記第３のヘリコイドネジは前記直進筒の内周面の前端部近傍から途中まで形成され、前記第４のヘリコイドネジは前記カム筒の外周面の一部に形成され、
前記直進筒には前記カム筒の回転方向をガイドするガイド孔（３１）が設けられ、
前記カム筒には、前記ガイド孔に係合する係合部材（突起軸４１）が設けられ、
前記ガイド孔は、前記直進筒後部において前記第３のヘリコイドネジが形成されていない部分に周方向に沿うように形成された第１孔部（後部３１ａ）と、前記第１孔部に連続し前記直進筒の前記前端部近傍まで前記第３のヘリコイドネジに沿うように形成されている第２孔部（前部３１ｂ）とからなり、
前記係合部材は、前記第４のヘリコイドネジに対して前後方向においてほぼ同じ位置に設けられており、前記カム筒が前記初期状態から前記所定角度回転する間は前記第１孔部に係合し、その後は前記第２孔部に係合するように構成されていることを特徴とする。
【００１１】
請求項２に記載の発明によれば、係合部材は前記初期状態から前記カム筒が前記所定角度回転する間は、直進筒の周方向に沿うように形成された第１孔部に係合することから、係合部材は回転方向に対して平行に移動するだけなので、カム筒も回転するだけで直進筒に対して前進することはない。
カム筒が所定角度回転すると、係合部材が第２孔部に係合する。第２孔部は、前記前端部近傍まで前記第３のヘリコイドネジに沿うように形成され、一方、係合部材は前記第４のヘリコイドネジに対して前後方向においてほぼ同じ位置に設けられていることから、係合部材が第２孔部に係合した状態でカム筒が回転すれば、係合部材は第２孔部に沿って直進筒に対して前方に位置を変えていき、第４のヘリコイドネジが第３のヘリコイドネジに対して螺合できるようになり、カム筒は回転しながら直進筒に対して前進するようになる。
以上のように、請求項２によれば請求項１に記載の発明を好適に実現できる。
【００１２】
ここで、係合部材が第２孔部に係合するようになったことのみにより、第４のヘリコイドネジが第３のヘリコイドネジに螺合するように構成されていなくてもよく、請求項３に記載の発明のように、前記第３のヘリコイドネジのうち前記第２孔部に隣接する部分が、少なくとも前記第１孔部近傍まで延長されていれば（延長部３２ａ）、この延長されている部分によって、第４のヘリコイドネジがガイドされ、第３のヘリコイドネジに螺合しやすくなるとともに、係合部材に掛かる負荷が小さくなる。
【００１３】
【発明の実施の形態】
以下、この発明の実施の形態の一例について、図面を参照しながら説明する。図１は、本発明のカメラの一例としてのカメラ１００の断面図であり、図２はカメラ１００に備えられる撮影レンズ１の概略構成を示す図である。
なお、図７および図８は、撮影レンズ１のワイド時、テレ時の状態を示しており、図４はワイド時の撮影レンズの一部を拡大した断面図である。図１、図４、図７、図８において、各筒、環、枠の内外周面に設けられた軸等の各部材の周方向の位置は、説明の都合上、適宜変更している。
撮影レンズ１は、ワイド（最少倍率）からテレ（最大倍率）まで倍率が設定可能であるズームレンズで、カメラ１００に設けられた操作ボタン（図示略）を操作すると、図示しないモータが駆動され、それにより駆動ギア２が回転し各レンズ群が駆動し所定の倍率に設定できるようになっている。
【００１４】
以下、撮影レンズ１の構成を説明する。
撮影レンズ１は、固定筒１０、回転筒２０、直進筒３０、カム筒４０、直進キー環５０、第１レンズ枠６０、第２レンズ枠７０、第３レンズ枠８０とから構成される。これら各部材は、全て略円筒状であり、各部材の開口のほぼ中心を通る直線（中心線）がほぼ一致するような状態で重ねられている。
【００１５】
固定筒１０は、撮影レンズ１を構成する各部材の中で最も外側にあり、カメラ１００にネジ等により固定されている。
固定筒１０の内周面にはヘリコイドネジ（第１のヘリコイドネジ）１１が形成され、このヘリコイドネジ１１の一部を分断するように、後述する直進筒３０の凸部３３が嵌合する溝である直進溝１３が前後方向に形成されている。
また、矩形状のギア孔１２が設けられ、該ギア孔１２に前記駆動ギア２が填め込まれている。
【００１６】
回転筒２０は、固定筒１０の内側に、前記中心線を中心として回転可能な状態で設けられていて、その外周面の後方には、前記ヘリコイドネジ１１と螺合するヘリコイドネジ（第２のヘリコイドネジ）２１が形成されている。このヘリコイドネジ２１部分には、前記ギア孔１２に填め込まれた状態の駆動ギア２と噛み合うギア部２２が、ヘリコイドネジ２１に沿うようにらせん状に設けられている。また、回転筒２０の内側には、カム筒４０の３つの突起軸４１のそれぞれが係合する３つの駆動溝２３が前後方向に形成されている。
回転筒２０の内側後縁部は、図４に示すように、周方向に沿ってわずかに張り出しており、その内側が直進筒３０の突条３５によって当接される当接面２５となっている。
この回転筒２０は、駆動ギア２が回転すると、ギア部２２を介して回転するとともに、ヘリコイドネジ２１がヘリコイドネジ１１に螺合していることから、前後に移動するようになっている。
【００１７】
直進筒３０は、回転筒２０の内側に設けられており、その内周面にはヘリコイドネジ（第３のヘリコイドネジ）３２が形成されている。
また、直進筒３０には、カム筒４０の３つの突起軸４１のそれぞれが挿通される３つのガイド孔３１、３１、３１が形成されている。
図３には、直進筒３０の内周面を平面に展開した状態を示した。図３に示すように、各ガイド孔３１は、直進筒３０の後方において周方向に沿うように所定長さ形成された後部（第１孔部）３１ａと、屈曲部３１ｃを経て、ヘリコイドネジ３２に沿うように直進筒３０の前端部近傍まで形成されている前部（第２孔部）３１ｂとからなる。後部３１ａは、突起軸４１ａの直径とほぼ同じ幅に形成され、前部３１ｂは、突起軸４１ｂの直径よりも広い幅に形成されている。
また、図３に示すように、前記ヘリコイドネジ３２の３カ所は、カム筒４０のヘリコイドネジ４２のガイド用に、直進筒３０の後端部まで延長され、延長部３２ａとなっている。
【００１８】
なお、直進筒３０の外周面の後方には周方向に沿うように突条３５が設けられ、回転筒２０の当接面２５に当接するようになっている。また、図１に示すように、直進筒３０の前端部３０ａは、前記回転筒２０の前端部２０ａの内側に当接するようになっている。
直進筒３０は、回転筒２０が前進すれば当接面２５に押されるようにして前進し、回転筒２０が後退すれば前端部２０ａに押し戻されるようにして後退し、つまり、直進筒３０は、回転筒２０とともに相対的な位置関係を変えることなく、前後に移動する。
また、図４に示すように、直進筒３０の後端には、固定筒１０の直進溝１３に係合する凸部３３が形成されている。直進筒３０は、凸部３３が直進溝１３に係合することによって、前後方向に直線的に移動するよう規制されている。
さらに、直進筒３０の内周面には、前後方向に、直進キー環５０の直進用係合板５１が係合する直進スリット３４が形成されている。
【００１９】
カム筒４０は、直進筒３０の内側に設けられており、その外周面の後部には、前記ヘリコイドネジ３２と螺合するヘリコイドネジ（第４のヘリコイドネジ）４２が、３箇所に分断された状態で形成されている。
また、カム筒４０の後部であってヘリコイドネジ４２の分断された箇所に、突起軸４１が３つ立設されている。これら３つの突起軸４１は、図４に示すように、カム筒４０の壁面を貫通して、カム筒４０の内側および外側に突出している。３つの突起軸４１は、カム筒４０の外側にあっては、直進筒３０の前記ガイド孔３１、３１、３１に填め込まれ、かつ、それらの端部は回転筒２０の駆動溝２３に係合するようになっている。よって、カム筒４０は、回転筒２０が回転するとそれにより同じ方向に回転する。
【００２０】
このカム筒４０が突起軸４１を介して回転するときの直進筒３０とカム筒４０の関係を、図５、図６に示す。図５および図６は、直進筒３０の内周面とカム筒４０の外周面を重ねて平面的に展開した図である。なお、図５および図６において、直進筒３０については図３と全く同様に示されており、カム筒４０の外形線を太線で示している。
撮影レンズ１がカメラ１００に収納された状態のとき（初期状態）には、図５に示すように、各突起軸４１が、ガイド孔３１の後部３１ａに填め込まれ、ヘリコイドネジ３２とヘリコイドネジ４２が螺合していない。
この状態で、回転筒２０が回転すると、突起軸４１が図５中の右方向に移動し始め、カム筒４０が回転し始める。後部３１ａは周方向に沿うように形成されていることから、カム筒４０は回転するだけで直進筒３０に対して前方に移動することはない。
【００２１】
カム筒４０が所定角度回転し、各突起軸４１がガイド孔３１の後部３１ａと前部３１ｂが連続する屈曲部３１ｃに達すると（図６の状態）、各突起軸４１が前部３１ｂに沿って前方に移動し始めると同時に、ヘリコイドネジ４２が、ヘリコイドネジ３２の延長部３２ａにガイドされながら、ヘリコイドネジ３２に螺合するようになり、これにより、カム筒４０は、回転しながら、直進筒３０に対して前方に移動するようになる。
【００２２】
また、各突起軸４１は、カム筒４０の内側にあっては、図４に示すように、直進キー環５０の凹部５２に嵌合する。突起軸４１が凹部５２に嵌合することによって、カム筒４０と直進キー環５０は、互いに前後方向の相対的な位置関係を変えずに前後に移動するようになっている。
また、カム筒４０の内側には、第１〜第３レンズ枠６０、７０、８０の各コマが係合するカム溝４３、４３…が所定の角度をもって斜めに設けられている。
【００２３】
直進キー環５０は、カム筒４０の内側に設けられており、後部の外周面には、直進用係合板５１が径方向に延出しており、直進用係合板５１が直進筒３０の直進スリット３４に係合することによって、直進キー環５０は直進するよう規制されている。
また、直進用係合板５１の手前には前記突起軸４１が嵌合する凹部５２が周方向に沿うように設けられている。
また、図２等に示すように、直進キー環５０の外周面には、第１レンズ枠６０のコマ６１が係合する第１キー溝５３が前後方向に沿って２カ所設けられ、第２レンズ枠７０のコマ７１、第３レンズ枠８０のコマ８１が挿通する第２キー溝５４、第３キー溝５５がそれぞれ３カ所ずつ前後方向に沿って設けられている。
【００２４】
第１レンズ枠６０、第２レンズ枠７０、第３レンズ枠８０は、それぞれ、第１レンズ群６２、第２レンズ群７２、第３レンズ群８２を、これら各レンズ群６２、７２、８２の光軸が前記中心線に一致するように、保持する円筒状の枠体である。
図１等に示すように、第１レンズ枠６０は、カム筒４０と直進キー環５０と間に筒体の部分が配設され、２つのコマ６１のそれぞれが、第１レンズ枠６０の内側において第１キー溝５３に、同じく外側においてカム溝４３に係合する。また、第２レンズ枠７０と第３レンズ枠８０は、第２レンズ枠７０が第３レンズ枠８０より前方に位置した状態で、直進キー環５０内に配設されている。
そして、第２レンズ枠の３つのコマ７１のそれぞれは、直進キー環５０の第２キー溝５４を挿通した状態でカム筒４０のカム溝４３に係合し、第３レンズ枠８０の３つのコマ８１のそれぞれは、直進キー環５０の第３キー溝５５を挿通した状態でカム筒４０のカム溝４３に係合する。
したがって、第１〜第３レンズ枠６０、７０、８０は第１〜第３キー溝５３、５４、５５に移動方向が直線方向に規制されているので、カム筒４０が回転したときに、斜めに形成されたカム溝４３に沿いながら、直線的に前後に移動するようになる。
【００２５】
上記構成のカメラ１００において、図１に示す撮影レンズ１がカメラ１００に収納された状態（初期状態）で、所定の倍率に設定すべく前記操作ボタンが操作されると前記モータが駆動されて、駆動ギア２が回転する。
駆動ギア２が回転すると、駆動ギア２２と噛み合っているギア部２２を介して回転筒２０が回転し始め、回転筒２０が前に移動する。回転筒２０が前進すると、直進筒３０も、回転筒２０の当接面２５によって突条３５が押されて、前方に直進する。
【００２６】
また、回転筒２０が回転することにより、駆動溝２３に係合している突起軸４１を介してカム筒４０も回転し始め、それにより、各コマを介してカム筒４０のカム溝４３、４３…に係合している第１レンズ枠６０、第２レンズ枠７０、第３レンズ枠８０が、直進キー環５０の各キー溝５３、５４、５５に沿うように、前方に直進する。
この段階では、第１レンズ枠６０、第２レンズ枠７０、第３レンズ枠８０の移動量は、固定筒１０に対する回転筒２０の移動量（ａとする）に、カム溝４３…を介してのレンズ枠自身のカム筒４０に対する移動量（ｂとする）を加えた移動量（ｃとする）である。
【００２７】
次に、カム筒が所定角度回転すると、各突起軸４１がガイド孔３１の屈曲部３１ｃに達し、カム筒４０は直進筒３０に対して回転しながら前進するようになる。この段階になると、各レンズ枠の移動量は、前記移動量ｃに加えて、カム筒４０の直進筒３０に対する移動量（ｄとする）を加えた移動量（ｅとする）となる。
予め設定された時間後、モータが停止すると、撮影レンズ１は所定の倍率に設定される。たとえば、最少倍率であるワイドに設定されれば図７に示す状態になり、最大倍率であるテレであれば図８に示す状態になる。
【００２８】
なお、異なる倍率に設定すべく前記操作ボタンが操作された場合、再び駆動ギア２が駆動され、各レンズ枠６０、７０、８０は、レンズ枠同士の間隔を変えながら移動し、ズームの倍率を自動的に変える。
【００２９】
以上のカメラ１００によれば、回転筒２０は固定筒１０に対して前後に移動し、カム筒４０は直進筒３０に対して前後に移動し、各レンズ枠６０、７０、８０はカム筒４０が回転するとカム筒４０に対して前後に移動するように構成されている。すなわち、２カ所のヘリコイド構造と１カ所のカム構造により３段鏡胴になっており、ヘリコイド構造とカム構造の双方を組み合わせているので、十分な強度を有しながらもレンズの移動量を高い自由度をもって設定できる。
【００３０】
また、突起軸４１は、カム筒４０が初期状態から所定角度回転する間、直進筒３０の周方向に沿うように形成された後部３１aに係合し回転方向に対して平行に移動するだけなので、カム筒４０も回転するだけで直進筒３０に対して前進することはない。
カム筒４０が前記所定角度回転すると、突起軸４１が前部３１ｂに係合するようになり、突起軸４１は前部３１ｂに沿って移動するようになる。前部３１ｂはヘリコイドネジ３２に沿うように形成され、突起軸４１はヘリコイドネジ４２に対して前後方向においてほぼ同じ位置に設けられていることから、ヘリコイドネジ４２がヘリコイドネジ３２に対して螺合するようになり、カム筒４０は回転しながら直進筒３０に対して前進する。
【００３１】
つまり、初期状態からカム筒４０が所定角度回転する間、直進筒３０に対してカム筒４０は移動せず、実質的に２段階鏡胴として機能することから、各レンズ群の移動量を小さく設定できる。
特に、撮影レンズ１をワイド（最少倍率）に設定するような場合、レンズの繰り出すべき量がわずかなため、その分微妙に移動量を設定できることが望ましいが、カメラ１００であれば初期状態からカム筒４０が所定角度回転する間、カム筒４０の回転角度に比してレンズ群の移動量が小さいので、レンズの移動量を望ましい程度に自由に設定できる。
【００３２】
しかも、レンズの移動量設定の自由度を高くするためカム筒等を長くする必要もなく、撮影レンズ１をコンパクトなものにできる。
また、撮影レンズ１は、３段鏡胴であることから、ズーム比の高倍率化を実現できる。
【００３３】
【発明の効果】
請求項１に記載の発明によれば、２カ所のヘリコイド構造と１カ所のカム構造による３段鏡胴になっており、ヘリコイド構造とカム構造の双方を組み合わせているので、十分な強度を有しながらもレンズの移動量を高い自由度をもって設定できる。
しかも、初期状態からカム筒が所定角度回転するまでは、直進筒とカム筒との間のヘリコイドネジは螺合しないことから、この間、直進筒に対してカム筒は移動せず、実質的に２段階鏡胴として機能することから、レンズ群の移動量を小さく設定できる。特に、撮影レンズがズームレンズであって、レンズを最少倍率に設定するような場合、レンズの繰り出すべき量がわずかなためその分微妙に移動量を設定できることが望ましいが、請求項１のカメラによれば、レンズ繰り出しの始めの段階でカム筒の回転角度に比してレンズ群の移動量が小さいので、レンズの移動量を望ましい程度に設定できる。
また、請求項１に記載の発明によれば、レンズの移動量設定の自由度を高くするためカム筒等を長くする必要もなく、全体をコンパクトにできる。
【００３４】
請求項２に記載の発明によれば、前記初期状態からカム筒が前記所定角度回転する間、係合部材は回転方向に対して平行に移動するだけなので、カム筒も回転するだけで直進筒に対して前進することはない。
カム筒が所定角度回転すると、係合部材が第２孔部に係合し第２孔部内を移動するようになり直進筒に対して前方に位置を変えるので、第４のヘリコイドネジが第３のヘリコイドネジに対して螺合できるようになり、カム筒は回転しながら直進筒に対して前進する。
以上のように、請求項２によれば請求項１に記載の発明を好適に実現できる。
【００３５】
請求項３に記載の発明によれば、請求項１または２に記載の発明の効果に加えて、第３のヘリコイドネジの延長されている部分によって、第４のヘリコイドネジがガイドされ、第３のヘリコイドネジに螺合しやすくなるとともに、係合部材に掛かる負荷が小さくなる。
【図面の簡単な説明】
【図１】本発明のカメラの一例の断面図である。
【図２】図１の撮影レンズの概略構成を示す斜視図である。
【図３】図２の直進筒の内周面を平面に展開した状態を示す図である。
【図４】図１の撮影レンズの一部を示す断面図である。
【図５】直進筒の内周面とカム筒の外周面を重ねて平面的に展開した図である。
【図６】直進筒の内周面とカム筒の外周面を重ねて平面的に展開した図である。
【図７】図１の撮影レンズのワイド時の断面図である。
【図８】図１の撮影レンズのテレ時の断面図である。
【符号の説明】
１      撮影レンズ
２      駆動ギア
１０    固定筒
１１    ヘリコイドネジ（第１のヘリコイドネジ）
１２    ギア孔
２０    回転筒
２１    ヘリコイドネジ（第２のヘリコイドネジ）
２２    ギア部
３０    直進筒
３１、３１、３１    ガイド孔
３１ａ、３１ａ、３１ａ    後部（第１孔部）
３１ｂ、３１ｂ、３１ｂ    前部（第２孔部）
３２      ヘリコイドネジ（第３のヘリコイドネジ）
４０      カム筒
４１、４１、４１      突起軸（係合部材）
４２      ヘリコイドネジ（第４のヘリコイドネジ）
４３、４３…      カム溝
５０      直進キー環
６０      第１レンズ枠
７０      第２レンズ枠
８０      第３レンズ枠
１００  カメラ
【図１】
0004267129.tif 000002
【図２】
0004267129.tif 000003
【図３】
0004267129.tif 000004
【図４】
0004267129.tif 000005
【図５】
0004267129.tif 000006
【図６】
0004267129.tif 000007
【図７】
0004267129.tif 000008
【図８】
0004267129.tif 000009